(57)【要約】【課題】ラック上面に配置した駆動軸を確実強固に固定し、長期にわたりラックとともに正しい作動を繰り返すことができる固定装置を提供する。【解決手段】固定具が駆動軸の上面に接する円曲部及び袖部を有する被着体と、底部をラック上面に固着し開放状の両側上端部を前記駆動軸に当接し且つ被着体の内側に密接する支持体で構成される。支持体の両側上端部は内方上向きに屈曲していて被着体の外方から締め付けねじを緊締すると駆動軸を被着体の円曲部内面に押し上げるため固定具を介して駆動軸がラック上面と強固に結合保持される。【選択図】図２
2014168457.tif 000002
【特許請求の範囲】
【請求項１】
回転軸に取り付けたピニオンに噛合するラックと、該ラック上に配置固定されラックに連動して同方向に可動する駆動軸と、駆動軸を固定支持するための固定具からなる温室カーテンの開閉駆動軸固定装置であって、前記固定具が駆動軸の上面に接する円曲部及び袖部を有する被着体と、底部をラック上面に固着し開放状の両側上端部を前記駆動軸に当接し且つ被着体の内側に密接させた支持体で構成され、しかして前記支持体の両側上端部は内方上向きに屈曲していて被着体の外方から締め付けねじを緊締すると、袖部とともに支持体の幅が狭まって両側上端部が駆動軸の弧状面を圧接し、それにより駆動軸が押し上げられて被着体の円曲部と緊密堅固に固定することを特徴とする温室カーテンの開閉駆動軸固定装置。
【発明の詳細な説明】
【技術分野】
【０００１】  本発明は、植物育成用温室にあってカーテン開閉のために用いられる駆動軸をラック上に確実強固に固定するための温室カーテンの開閉駆動軸固定装置に関する。
【背景技術】
【０００２】  温室の温度を適切に保ち且つ通風・採光を良好に保持するために温室のカーテンを開閉する手段がとられており、カーテン開閉には無端環状のワイヤーを用いたり、カーテンを回転パイプに巻装して巻取り・巻戻しする方法は従来技術として広く知られている。しかして開閉手段として、電源と連動する回転軸にピニオンを取り付け、該ピニオンに噛合するラックにカーテン開閉のための駆動軸を固定する構成をとるものなども散見される。
【先行技術文献】
【特許文献】
【０００３】
【特許文献１】特開２００３−１５３６３４号公報
【特許文献２】特開２００３−３０４７５６号公報
【発明の概要】
【発明が解決しようとする課題】
【０００４】  特許文献１は天窓開閉機構に関する技術であり、天窓を支持するガイドローラーと、駆動装置によって移動する天窓を開閉方向に案内するガイドローラーを備えたことを特徴としたもので、前記駆動装置は開閉方向に沿って固定されるラックと、ラックと噛合し、回転軸に連結されたピニオンで構成されているが、ラックに直接固定された長尺部材（さん材）は単にねじ止めされているにすぎないため振動等の影響を受けやすく長期使用中に固定部が緩むと全体の開閉動作に支障を生じるおそれがある。【０００５】  特許文献２は駆動軸と同一及び逆方向に回転する一対の開閉駆動車に互いに逆方向に移動する長尺搬送部材を設け、夫々にカーテン端部を取り付けて互いに接近もしくは離反することを特徴とした技術であり、駆動車をピニオン、長尺搬送部材をラック機構としたものであり、ラックとピニオンの噛合動作によってカーテン開閉がスムーズになされることを所期しているが、この技術は長尺搬送部材を直接ラックベルトとしたものであるからラックベルトが経年使用で磨耗したり重みでたわみを生じる可能性があり、その結果カーテン開閉にも影響が出るという懸念を払拭できない。【０００６】  しかして従来ピニオンと噛合するラック上に、開閉駆動軸を固定するためのものとして図５に示す固定具５０がある。この固定具５０は上部の欠円部５１の下方にラック上に固着する支持部５２を形成したもので、駆動軸５３は欠円部５１に挿通され、欠円部５１の直下箇所に位置する締め付けねじ５４を緊締すると欠円部５１が駆動軸５３を外方から圧接して駆動軸５３を固定具５０と一体状にするものであるが、欠円部５１が経年使用や締め付けねじの緩みなどにより変形すると駆動軸５３の固定状態にも微妙なずれが起き、ひいてはカーテンの動きにバランスを欠くといった問題も生ずる。
このような現状に鑑みて本発明は、ラックに開閉駆動軸を固定したカーテン開閉装置における前記ラック上の駆動軸を振動等の影響から可及的回避できるように、長期にわたり堅牢性を発揮できることを目的とした温室カーテンの開閉駆動軸固定装置を提供することを目的としている。
【課題を解決するための手段】
【０００７】  上記目的を達成するために本発明は、回転軸に取り付けたピニオンに噛合するラックと、該ラック上に配置固定されラックに連動して同方向に可動する駆動軸と、駆動軸を固定支持するための固定具からなる温室カーテンの開閉駆動軸固定装置であって、前記固定具が駆動軸の上面に接する円曲部及び袖部を有する被着体と、底部をラック上面に固着し開放状の両側上端部を前記駆動軸に当接し且つ被着体の内側に密接させた支持体で構成され、しかして前記支持体の両側上端部は内方上向きに屈曲していて被着体の外方から締め付けねじを緊締すると、袖部とともに支持体の幅が狭まって両側上端部が駆動軸の弧状面を圧接し、それにより駆動軸が押し上げられて被着体の円曲部と緊密堅固に固定することを特徴とする。
【発明の効果】
【０００８】  駆動軸は被着体の円曲部内面と支持体の上端部間に介装され、支持体上端部により円曲部内面に圧接されており微動だにすることがない。すなわち被着体外方から締め付けねじを緊締することで内方に屈曲してある支持体の両側上端部が駆動軸を押し上げ状に圧接するためその押圧力で駆動軸が被着体の円曲部内面に不動状に密着してラックに固着されている固定具と一体化し、このためラックの可動と連動してその動きが絶えず繰り返されても振動等によって支障を生じることがなく、ラックと一体状態を保持するため温室カーテンは長期にわたり正常な開閉動作をする結果、トラブル発生は未然に防止される。
【図面の簡単な説明】
【０００９】
【図１】本装置を備えたラックとピニオンの噛合概略図である。
【図２】（ａ）本装置の側面図（ｂ）駆動軸が押し上げられる動きの説明図である。
【図３】本装置の部分斜視図である。
【図４】本装置の中央部横断面図である。
【図５】従来の固定具を示す概略図である。
【発明を実施するための形態】
【００１０】  図面を参照して本発明の実施形態を説明すると、図１は電源モーターにより正逆回転する回転軸１と同軸上にあるピニオン２と噛合して矢指のように連動するラック３に固定具１０を介して駆動軸２０を取り付けた概略を示したもので、駆動軸２０の可動に伴ってカーテンが開閉する仕組みであるが、カーテン開閉手段は従来周知のもので特に目新しいものではないためモーター・カーテン・天窓その他の温室構成部材の図面及び説明は省略した。
【００１１】  図２〜図４は本装置を示すもので、固定具１０は上面に円曲部１２を有し且つ両側を袖部１３とした被着体１１と、底部１６をラック３の長手方向に沿う二箇所のナット付き固定ねじ１７でラック上面に固着した上部開放状の支持体１４で構成されている。
【００１２】  支持体１４は前記固定ねじ１７によりすこぶる緊密且つ強固にラック上面と固着し両者は一体状となっている。そして上部開放状の支持体１４は被着体１１の袖部１３の内側に密接しており、内向きに屈曲している両側上端部１５の端面が駆動軸２０の下側弧状面に当接しているため駆動軸２０は支持体１４の両側上端部１５と被着体１１の円曲部１２との間に挿通固定される。
【００１３】  被着体１１の袖部１３と支持体１４の双方は被着体１１の袖部１３外方から螺挿した二箇所のナット付き締め付けねじ１８により密接している。締め付けねじ１８を緊締すると図２（ｂ）の矢指で示したとおり袖部１３とともに支持体両側はその幅を狭め、駆動軸２０の下側弧状面に当接している両側上端部１５が駆動軸２０を押し上げ、円曲部１２に駆動軸２０は堅固に固定されてその不動状態が永く保持される。
【００１４】  上記のように本装置における固定具１０は被着体１１と支持体１４を主要構成部材とするすこぶるシンプルな形態のものであるが、被着体１１と支持体１４内に挿通された駆動軸２０は両者の間で不動状態を保持されるためその動きは長期にわたりラック３とぶれることがなく、それゆえカーテン開閉に支障を生ずるおそれもないものである。
【００１５】  なお本発明の目的効果を奏する範囲における付加変更事項、例えば被着体１１の円曲部１２上面にねじ孔をあけて駆動軸２０をねじ止めして固定状態に万全を期することもできるが、これらも本発明の自由な実施範囲に属すること勿論である。
【符号の説明】
【００１６】１    回転軸
２    ピニオン
３    ラック
１０  固定具
１１  被着体
１２  円曲部
１３  袖部
１４  支持体
１５  両側上端部
１６  底部
１７  固定ねじ
１８  締め付けねじ
２０  駆動軸
【図１】
2014168457.tif 000003
【図２】
2014168457.tif 000004
【図３】
2014168457.tif 000005
【図４】
2014168457.tif 000006
【図５】
2014168457.tif 000007